(57)【要約】      （修正有）【課題】ペン等を用いずに時刻情報を簡易に記録可能なシート状時刻記録体を提供する。【解決手段】本シート状時刻記録体１は、帯状シート領域２とそれ以外の他のシート領域３とからなり、帯状シート領域の少なくとも一辺が他のシート領域と接していない端辺であり、帯状シート領域が弱化線６を介して連結された複数の略矩形状の切り離しシート部からなり、各切り離しシート部の少なくとも三辺が上記端辺又は弱化線からなり、各切り離しシート部に、又は、各切り離しシート部に対応する他のシート領域に、時刻表示記号がそれぞれ表示されている。シート状時刻記録体は、端辺と他のシート領域との間が切り欠かれていることが好ましい。シート状時刻記録体は、２列以上の帯状シート領域を有することが好ましい。シート状時刻記録体は、各切り離しシート部の四辺が端辺又は弱化線からなることが好ましい。【選択図】図１
0003161141.tif 000002
【実用新案登録請求の範囲】
【請求項１】
帯状シート領域とそれ以外の他のシート領域とからなり、
上記帯状シート領域の少なくとも一辺が他のシート領域と接していない端辺であり、
上記帯状シート領域が弱化線を介して連結された複数の略矩形状の切り離しシート部からなり、
上記各切り離しシート部の少なくとも三辺が上記端辺又は弱化線からなり、
上記各切り離しシート部に、又は、各切り離しシート部に対応する他のシート領域に、時刻表示記号がそれぞれ表示されているシート状時刻記録体。
【請求項２】
上記端辺と上記他のシート領域との間が切り欠かれている請求項１に記載のシート状時刻記録体。
【請求項３】
２列以上の上記帯状シート領域を有する請求項１又は請求項２に記載のシート状時刻記録体。
【請求項４】
上記各切り離しシート部の四辺が上記端辺又は弱化線からなる請求項１、請求項２又は請求項３に記載のシート状時刻記録体。
【請求項５】
請求項１から請求項４のいずれか１項に記載のシート状時刻記録体を備える食品包装容器。
【考案の詳細な説明】
【技術分野】
【０００１】
本考案は、時刻情報を記録するためのシート状時刻記録体及びこれを備える食品包装容器に関する。
【背景技術】
【０００２】
市場で流通する商品には、製品に関する様々な情報が表示されている。たとえば、家電製品であれば商品本体や包装紙等に製造者名、型番、製造番号、商品の説明等が表示されている。また、生鮮食料品等であれば包装紙やラベル等に商品名、製造者名、原材料名などの情報が表示されている。中でも製品の製造年月日や食品の賞味期限等の時刻情報は、製品や食品の品質を判断する上で重要である。
【０００３】
ところで、例えば菓子、調味料、缶詰及びソース類等、開封前は長期間の保存が可能であるが、開封後は速やかに消費しないと品質が劣化してしまう食品も存在する。そのような食品では、製造年月日より開封日や開封時刻が重要であるため、食品包装用ラベル等の外装部に開封日や開封時刻等の時刻情報をペン等を使用せずに記録できれば便利である。
【０００４】
実用新案登録３０５８３６７号公報には、食品の開封月日を記録することができるラベルの発明が開示されている。しかし、このラベルは開封月日を記録する部分が単に弱化線で囲まれているだけであるため、当該記録部分が非常にはがしにくく、ラベルに開封月日を記録する際に不便であるといった不都合がある。
【０００５】
また、行政文書、裁判書類及び契約書類等、期日までに確実に処理する必要のある書類も存在する。上記書類について、起草日、応答日及び契約締結予定日等の時刻情報をペン等を利用せずに記録できれば便利である。
【０００６】
従って、食品の開封日や書類の処理期限等の時刻情報を、ペン等を使用せずに簡易に記録できる構造を備える物品が求められている。
【先行技術文献】
【特許文献】
【０００７】
【特許文献１】実登３０５８３６７号公報
【考案の概要】
【考案が解決しようとする課題】
【０００８】
本考案は上記不都合に鑑みてなされたものであり、ペン等を使用せずに時刻情報を簡易に記録可能なシート状時刻記録体及び上記シート状時刻記録体を備える食品包装容器を提供することを目的とする。
【課題を解決するための手段】
【０００９】
上記課題を解決するためになされた考案は、
帯状シート領域とそれ以外の他のシート領域とからなり、
上記帯状シート領域の少なくとも一辺が他のシート領域と接していない端辺であり、
上記帯状シート領域が弱化線を介して連結された複数の略矩形状の切り離しシート部からなり、
上記各切り離しシート部の少なくとも三辺が上記端辺又は弱化線からなり、
上記各切り離しシート部に、又は、各切り離しシート部に対応する他のシート領域に、時刻表示記号がそれぞれ表示されているシート状時刻記録体である。
【００１０】
当該シート状時刻記録体は、記録したい時刻表示記号が表示された上記各切り離しシート部、又は、記録したい時刻表示記号が表示された他のシート領域に対応する上記各切り離しシート部を、上記シート状時刻記録体から切り離すことにより、任意の時刻情報を記録するものである。
【００１１】
当該シート状時刻記録体は、上記帯状シート領域の少なくとも一辺が他のシート領域と接していない端辺であるため、上記端辺から各切り離しシート部を容易に切り離すことができる。また、上記シート部の少なくとも三辺が上記端辺又は弱化線からなるため、上記端辺を有する上記シート部から、当該一のシート部又は複数のシート部を容易に切り離すことができる。すなわち、当該シート状時刻記録体によれば、上記シート部をシート状時刻記録体に接続した状態で、又は、完全に切り離した状態で、ペン等を使用せずに時刻情報を簡易に記録することができる。
【００１２】
上記シート状時刻記録体は、上記端辺と上記他のシート領域との間が切り欠かれていることが好ましい。当該シート状時刻記録体によれば上記端辺を上記シート状時刻記録体の四辺に接する位置以外に設けることができる。すなわち、上記帯状シート領域を上記シート状時刻記録体の任意の場所に配置することができる。
【００１３】
上記シート状時刻記録体は、２列以上の上記帯状シート領域を有することが好ましい。当該シート状時刻記録体によれば、２種以上の時刻情報を種類別に記録すること等によって、記録した時刻情報をより明確に確認することができる。
【００１４】
上記シート状時刻記録体は、上記各切り離しシート部の四辺が上記端辺又は弱化線からなることが好ましい。当該シート状時刻記録体によれば、時刻情報の記録時に上記各シート部を完全に切り離すことができるため、時刻情報が記録された部分をさらに明確にすることができる。
【００１５】
本考案に係る食品包装容器は、上記シート状時刻記録体を備える。当該食品包装容器は、上記特定構造を有するシート状時刻記録体を備えることで、ペン等を使用せずに食品包装容器自体に簡易に時刻情報を記録することができる。
【００１６】
本考案において、時刻表示記号とは、時刻情報を記録するための記号である。ここで、時刻情報とは連続する時間の中のある一点を表す情報すべてを含む概念であり、年、月、日、時、分、秒等の数字情報及び午前、午後、曜日、元号等の文字情報のいずれも含む。上記時刻情報は１種を単独で又は２種以上を併用して用いることができる。また、弱化線とは、他の部分より強度的に弱化した線状の部分をいい、直線、曲線等の任意の形状をとりうる。弱化線は、例えば切込み形成された直線状の薄肉部やミシン目等により形成される。
【考案の効果】
【００１７】
以上説明したように、本考案に係るシート状時刻記録体及び上記シート状時刻記録体を備える食品包装容器によれば、ペン等を使用せずに時刻情報を簡易に記録でき、食品の衛生管理等に利用できる。
【図面の簡単な説明】
【００１８】
【図１】本考案の一実施形態に係るシート状時刻記録体を示す平面図である。
【図２】図１のシート状時刻記録体を備える食品包装容器を示す斜視図である。
【図３】図１のシート状時刻記録体とは異なる形態に係るシート状時刻記録体を備えた食品包装容器を斜視図である。
【図４】図１及び図３のシート状時刻記録体とは異なる形態に係るシート状時刻記録体を示す平面図である。
【図５】図１、図３及び図４のシート状時刻記録体とは異なる形態に係るシート状時刻記録体を示す平面図である。
【図６】図１、図３、図４及び図５のシート状時刻記録体とは異なる形態に係るシート状時刻記録体を示す平面図である。
【考案を実施するための形態】
【００１９】
以下、適宜図面を参照しつつ本考案の実施の形態を詳述する。
【００２０】
（実施形態１）
図１のシート状時刻記録体１は略矩形状に形成されたシート状の形状を有し、帯状シート領域２とそれ以外の他のシート領域３から形成されている。
【００２１】
当該シート状時刻記録体１の材質としては特に限定されないが、例えば紙、金属、ゴム、合成樹脂等が挙げられる。当該シート状時刻記録体１のサイズは特に限定されないが、例えば縦５ｃｍ、横１５ｃｍの長方形型等が挙げられる。また、当該シート状時刻記録体１の厚みは特に限定されないが、例えば０．５ｍｍ以下とすることができる。
【００２２】
上記帯状シート領域２は、帯状に形成された一列の帯状領域である。上記帯状シート領域２の上辺は、当該シート状時刻記録体１の上側端縁と共通する。すなわち、上記帯状シート領域２の一辺である上辺は、上記他のシート領域３と接していない端辺４である。
【００２３】
上記帯状シート領域２は、互いに隣接する２６個の切り離しシート部５からなる。上記切り離しシート部５には、時刻表示記号９がそれぞれ表示されている。上記切り離しシート部５は略矩形状を有している。上記切り離しシート部５は、上記端辺４以外の三辺がいずれも弱化線６によって区画されている。
【００２４】
上記弱化線６は強度的に弱化した線状の部分である。上記弱化線６は、弱い力をかけるだけで容易に切り取ることができる。上記弱化線６は直線状に形成されているが、曲線等により形成されていてもよい。上記弱化線６はミシン目加工により切り取りやすいよう形成されているが、厚みを薄く加工すること等により形成することもできる。
【００２５】
上記他のシート領域３は、当該シート状時刻記録体１のうち上記帯状シート領域２以外の部分である。上記他のシート領域３は、時刻表示領域７を有する。上記他のシート領域３は、上記時刻表示領域７以外の領域に表示される情報等は特に限定されず、商品名、製造者名等の時刻情報以外の情報が記録されていてもよい。また、上記他のシート領域３は模様や色彩等のデザインが付されていてもよい。
【００２６】
上記時刻表示領域７は、略矩形状に形成された一列の帯状領域である。上記時刻表示領域７は横方向の長さが上記帯状シート領域２と同じである。上記時刻表示領域７は、上記端辺４及び上記帯状シート領域２と並行に位置する。上記時刻表示領域７は、上記帯状シート領域２の端辺４と平行な辺と接する。
【００２７】
上記時刻表示領域７は、月情報表示領域７Ａ、十桁情報表示領域７Ｂ及び一桁情報表示領域７Ｃからなる。
【００２８】
上記時刻表示領域７は、互いに隣接する２６個の時刻表示シート部８からなる。上記時刻表示シート部８は略矩形状を有している。上記時刻表示シート部８には、時刻表示記号９がそれぞれ表示されている。
【００２９】
上記時刻表示記号９は、１から１２までの１２個の数字記号９Ａ、０から３までの４個の数字記号９Ｂ、及び１から０までの１０個の数字記号９Ｃからなる。上記時刻表示記号９は、数字が同じ向き及び方向に並ぶよう、上述の順番で上記時刻表示シート部８に表示されている。ここで、数字記号９Ａは月情報を表し、数字記号９Ｂは日情報の十桁部分を表し、数字記号９Ｃは日情報の一桁部分を表す。数字記号９Ａ、数字記号９Ｂ及び数字記号９Ｃからそれぞれ１つの数字を選ぶことで、１月１日から１２月３１日までの任意の月日を一日単位で表すことができる。
【００３０】
上記月情報表示領域７Ａを構成する時刻表示シート部８には、数字記号９Ａがそれぞれ表示されている。上記十桁情報表示領域７Ｂを構成する時刻表示シート部８には、数字記号９Ｂがそれぞれ表示されている。上記一桁情報表示領域７Ｃを構成する時刻表示シート部８には、数字記号９Ｃがそれぞれ表示されている。
【００３１】
各切り離しシート部５及び各時刻表示シート部８は、水平方向の長さ及び個数が同一である。各時刻表示記号９が表示された各時刻表示シート部８に対し、各切り離しシート部５が一対一に対応する。すなわち、一つの時刻表示記号９は一つの時刻表示シート部８に表示される。また、一つの時刻表示記号９に対し一つの切り離しシート部５が対応する。
【００３２】
当該シート状時刻記録体１に月日を記録する場合、記録したい月日に対応する時刻表示記号９が表示された３個の切り離しシート部５を、当該シート状時刻記録体１から剥がす。上記切り離しシート部５は、上記端辺４と隣接する三辺が弱化線６で形成されているため、上記端辺４に少しの力をかけるだけで、上記切り離しシート部５の全部を容易に剥がすことができる。この場合、剥がされた３個の切り離しシート部５は、当該シート状時刻記録体１から完全に切り離された状態にある。
【００３３】
当該シート状時刻記録体１について、切り離された３個の切り離しシート部５の位置を確認し、次に各切り離しシート部５に対応する３個の時刻表示記号９を確認することにより、記録した月日を読み取ることができる。
【００３４】
当該シート状時刻記録体１は、一方の側縁に帯状ののりしろ部１０を備えている。上記のりしろ部１０と当該シート状時刻記録体１の他方の側縁とが重なるよう接着することで、当該シート状時刻記録体１を筒状の形状とすることができる。すなわち、当該シート状時刻記録体１を筒状の食品包装容器等に備え付けることができる。
【００３５】
（実施形態２）
図２の食品包装容器１１は、食品を保存するための容器である。当該食品包装容器１１は、本体部１２と上記シート状時刻記録体１とを備えている。
【００３６】
上記本体部１２は、内部に食品を保存するための食品用容器の本体部分である。上記本体部１２の材質は特に限定されないが、ポリエチレン、ガラス、紙等が挙げられる。上記本体部のサイズは特に限定されないが、例えば３００ｍｌの液体が封入できるサイズ等が挙げられる。上記本体部の厚みは特に限定されないが、例えば２ｍｍ以下とすることができる。
【００３７】
当該食品包装容器１１によれば、ペン等を用いずに簡易に時刻情報を確認することができる。例えば１２月２３日という月日を記録したい場合、月情報である「１２」という数字記号９Ａが記載された上記切り離しシート部５、日情報の十桁部分である「２」という数字記号９Ｂが記載された上記切り離しシート部５、及び日情報の一桁部分である「３」という数字表示９Ｃが記載された上記切り離しシート部５を、上記シート状時刻記録体１よりそれぞれ切り離す。
【００３８】
当該食品包装容器１１は、「１２」、「２」及び「３」の３つの時刻表示記号６に対応する３つの切り離しシート部５のみが切り離されている。当該食品包装容器１１において、切り離された上記各切り離しシート部５の位置を確認し、次に切り離された上記各切り離しシート部５に対応する時刻表示記号９を確認することにより、記録された月日である「１２月２３日」を確認することができる。
【００３９】
（実施形態３）
図３の食品包装容器２１は、食品を保存するための容器である。当該食品包装容器２１は、本体部２２とシート状時刻記録体２３とを備えている。
【００４０】
上記本体部２２の材質及びサイズ及び厚みは、上記本体部１２と同様である。
【００４１】
上記シート状時刻記録体２３は略矩形状に形成されたシート状の形状を有し、帯状シート領域２４と他のシート領域２５から形成されている。
【００４２】
上記シート状時刻記録体２３の材質、サイズ及び厚みは、上記シート状時刻記録体１と同様である。
【００４３】
上記帯状シート領域２４は、帯状に形成された二列の帯状領域であり、月情報用帯状シート領域２４Ａと日情報用帯状シート領域２４Ｂとからなる。
【００４４】
上記月情報用帯状シート領域２４Ａは、その上辺が上記シート状時刻記録体２３の上側端縁と共通する。上記日情報用帯状シート領域２４Ｂは、その下辺が上記シート状時刻記録体２３の下側端縁と共通する。すなわち、上記月情報用帯状シート領域２４Ａの一辺である上辺及び上記日情報用帯状シート領域２４Ｂの一辺である下辺は、上記他のシート領域２５と接していない端辺２６である。
【００４５】
上記月情報用帯状シート領域２４Ａは、互いに隣接する１２個の切り離しシート部２７から形成された一列の帯状領域である。上記日情報用帯状シート領域２４Ｂは、互いに隣接する１４個の切り離しシート部２７から形成された一列の帯状領域である。
【００４６】
上記切り離しシート部２７は略矩形状を有している。上記切り離しシート部２７は、上記端辺２６以外の三辺がいずれも弱化線２８によって区画されている。
【００４７】
上記弱化線２８の構成及び効果は、上記弱化線６と同様である。
【００４８】
上記他のシート領域２５は、上記シート状時刻記録体２３のうち上記帯状シート領域２４以外の部分である。上記他のシート領域３は、時刻表示領域２９を有する。上記他のシート領域３は、上記時刻表示領域２９以外の領域に表示される情報等は特に限定されず、商品名、製造者名等の時刻情報以外の情報が記録されていてもよい。また、上記他のシート領域２５は、模様や色彩等のデザインが付されていてもよい。
【００４９】
上記時刻表示領域２９は、略矩形状に形成された二列の帯状領域である。上記時刻表示領域２９は横方向の長さが上記帯状シート領域２４と同じである。上記時刻表示領域２９は、上記端辺２６及び上記帯状シート領域２４と並行に位置する。上記時刻表示領域２４は、上記帯状シート領域２４の端辺２６と平行な辺と接する。
【００５０】
上記時刻表示領域２９は、月情報表示領域２９Ａ及び日情報表示領域２９Ｂからなる。上記月情報表示領域２９Ａ及び上記日情報表示領域２９Ｂは、互いに並行である。
【００５１】
上記月情報表示領域２９Ａは互いに隣接する１２個の時刻表示シート部３０からなる。上記日情報表示領域２９Ｂは、互いに隣接する１４個の時刻表示シート部３０からなる。上記時刻表示シート部３０は略矩形状を有している。上記時刻表示シート部３０には、時刻表示記号３１がそれぞれ表示されている。
【００５２】
上記時刻表示記号３１は、１から１２までの１２個の数字記号３１Ａ、０から３までの４個の数字記号３１Ｂ、及び１から０までの１０個の数字記号３１Ｃからなる。上記時刻表示記号３１は、数字が同じ向き及び方向に並ぶよう、上述の順番で上記時刻表示シート部３０に表示されている。ここで、数字記号３１Ａは月情報を表し、数字記号３１Ｂは日情報の十桁部分を表し、数字記号３１Ｃは日情報の一桁部分を表す。数字記号３１Ａ、数字記号３１Ｂ及び数字記号３１Ｃからそれぞれ１つの数字を選ぶことで、１月１日から１２月３１日までの任意の月日を一日単位で表すことができる。
【００５３】
上記月情報表示領域２９Ａを構成する時刻表示シート部３０には、数字記号３１Ａがそれぞれ表示されている。上記日情報表示領域２９Ｂを構成する時刻表示シート部３０には数字記号３１Ｂ及び数字記号３１Ｃがそれぞれ表示されている。
【００５４】
各切り離しシート部２７及び各時刻表示シート部３０は、水平方向の長さ及び個数が同一である。各時刻表示記号３１が表示された各時刻表示シート部３０に対し、各切り離しシート部２７が一対一に対応する。すなわち、一つの時刻表示記号３１は一つの時刻表示シート部３０に表示される。また、一つの時刻表示記号３１に対し、一つの切り離しシート部２７が対応する。
【００５５】
当該食品包装容器２１に月日を記録する場合、記録したい月日に対応する時刻表示記号３１が表示された３個の切り離しシート部２７を、上記シート状時刻記録体２３から剥がす。上記切り離しシート部２７は、上記端辺２６と隣接する三辺が弱化線２８で形成されているため、上記端辺２６に少しの力をかけるだけで、上記切り離しシート部２７の全部を容易に剥がすことができる。この場合、剥がされた３個の切り離しシート部２７は、上記シート状時刻記録体２３から完全に切り離された状態にある。
【００５６】
上記シート状時刻記録体２３より剥がされた２個の切り離しシート部２７の場所を確認し、剥がされた各切り離しシート部２７の前後の数字を読み取ることにより、当該食品包装容器２１に記録した月日を読み取ることができる。
【００５７】
上記シート状時刻記録体２３は、一方の側縁に帯状ののりしろ部３２を備えている。上記のりしろ部３２の構成及び効果は、上記のりしろ部１０と同様である。
【００５８】
（実施形態４）
図１のシート状時刻記録体４１は略矩形状に形成されたシート状の形状を有し、帯状シート領域４２とそれ以外の他のシート領域４３から形成されている。
【００５９】
当該シート状時刻記録体４１の材質、サイズ及び厚みは、上記シート状時刻記録体１と同様である。
【００６０】
上記帯状シート領域４２は、帯状に形成された一列の帯状領域である。上記帯状シート領域４２の上辺は、当該シート状時刻記録体４１の上側端縁と共通する。すなわち、上記帯状シート領域２の一辺である上辺は、上記他のシート領域４３と接していない端辺４４である。
【００６１】
上記帯状シート領域４２は、互いに隣接する１４個の切り離しシート部４５からなる。上記切り離しシート部４５には、時刻表示記号４６がそれぞれ表示されている。上記切り離しシート部４５は略矩形状を有している。上記切り離しシート部４５は、上記端辺と隣接する二辺がいずれも弱化線４７によって区画されており、上記端辺４４と並行な一辺は何ら加工がされていない。
【００６２】
上記弱化線４７の構成及び効果は、上記弱化線６と同様である。
【００６３】
上記他のシート領域４３は、当該シート状時刻記録体４１のうち上記帯状シート領域４２以外の部分である。上記他のシート領域４３に表示される情報等は特に限定されず、商品名、製造者名等の時刻情報以外の情報が記録されていてもよい。また、上記他のシート領域４３には、模様や色彩等のデザインが付されていてもよい。
【００６４】
上記時刻表示記号４６は、ＡＭ、ＰＭという２個の文字表示４６Ａ、及び１から１２までの１２個の数字表示４６Ｂからなる。上記時刻表示記号４６は、文字又は数字が同じ向き及び方向に並ぶよう、上述の順番で上記切り離しシート部４５に表示されている。ここで、ＡＭは午前を表し、ＰＭは午後を表し、１から１２までの数字は時間を表す。上記文字表示４６Ａから１つの文字を選び、上記数字表示４６Ｂから１つの数字を選ぶことで、午前１時から午後１２時までの任意の時間を１時間単位で表すことができる。
【００６５】
当該シート状時刻記録体４１に時刻を記録する場合、記録したい時刻に対応する時刻表示記号４６が表示された２個の切り離しシート部４５を、当該シート状時刻記録体４１から剥がす。上記切り離しシート部４５は、上記端辺４４と隣接する二辺が弱化線４７で形成されているため、上記端辺４４に少しの力をかけるだけで上記二辺を容易に切り取ることができる。この場合、剥がされた２個の切り離しシート部４５は、上記端辺４４と並行な一辺によって当該シート状時刻記録体４１と接続した状態にある。
【００６６】
当該シート状時刻記録体４１より剥がされた２個の切り離しシート部４５の場所を確認し、剥がされた各切り離しシート部４５の前後の数字を読み取ることにより、記録した時刻を読み取ることができる。
【００６７】
当該シート状時刻記録体４１は、一方の側縁に帯状ののりしろ部４８を備えている。のりしろ部４８の構成及び効果は、上記のりしろ部１０と同様である。
【００６８】
（実施形態５）
図５のシート状時刻記録体５１は略矩形状に形成されたシート状の形状を有し、帯状シート領域５２とそれ以外の他のシート領域５３から形成されている。
【００６９】
当該シート状時刻記録体５１の材質、サイズ及び厚みは、上記シート状時刻記録体１と同様である。
【００７０】
上記帯状シート領域５２は、帯状に形成された一列の帯状領域である。上記帯状シート領域５２の上辺は、当該シート状時刻記録体５１の上側端縁と共通する。すなわち、上記帯状シート領域５２の一辺である上辺は、上記他のシート領域５３と接していない端辺５４である。
【００７１】
上記帯状シート領域５２は、互いに隣接する１４個の切り離しシート部５５からなる。上記切り離しシート部５５は略矩形状を有している。上記切り離しシート部５５は、上記端辺５４以外の三辺がいずれも弱化線５６により区画されている。
【００７２】
上記弱化線５６の構成及び効果は、上記弱化線６と同様である。
【００７３】
上記他のシート領域５３は、当該シート状時刻記録体５１のうち上記帯状シート領域５２以外の部分である。上記他のシート領域５３は、時刻表示領域５７を有する。上記他のシート領域５３は、上記時刻表示領域５７以外の領域に表示される情報等は特に限定されず、商品名、製造者名等の時刻情報以外の情報が記録されていてもよい。また、上記他のシート領域５３は、模様や色彩等のデザインが付されていてもよい。
【００７４】
また、上記時刻表示領域５７は、略矩形状に形成された一列の帯状領域である。上記時刻表示領域５７は横方向の長さが上記帯状シート領域５２と同じである。上記時刻表示領域５７は、上記端辺５４及び上記帯状シート領域５２と並行に位置する。上記時刻表示領域５７は、上記帯状シート領域５２の端辺５４と平行な辺と接する。
【００７５】
上記時刻表示領域５７は、互いに隣接する１４個の時刻表示シート部５８からなる。上記時刻表示シート部５８は略矩形状を有している。上記時刻表示シート部５８には、時刻表示記号５９がそれぞれ表示されている。
【００７６】
上記時刻表示記号５９として、ＡＭ、ＰＭという２個の文字表示５９Ａ、及び１から１２までの１２個の数字表示５９Ｂが含まれる。上記時刻表示記号５９は、文字又は数字が同じ向き及び方向に並ぶよう、上述の順番で上記時刻表示シート部５８に配置されている。ここで、ＡＭは午前を表し、ＰＭは午後を表し、１から１２までの数字は時間を表す。文字表示から１つの文字を選び、数字表示から１つの数字を選ぶことで、午前１時から午後１２時までの任意の時間を１時間単位で表すことができる。
【００７７】
各切り離しシート部５５及び各時刻表示シート部５８は、水平方向の長さ及び個数が同一である。各時刻表示記号５９が記載された各時刻表示シート部５８に対し、各切り離しシート部５５が一対一に対応する。すなわち、一つの時刻表示記号５９は一つの時刻表示シート部５８に表示される。また、一つの時刻表示記号５９に対し、一つの切り離しシート部５５が対応する。
【００７８】
当該シート状時刻記録体５１に時刻を記録する場合、記録したい時刻が表示された時刻表示記号５９に対応する２個の切り離しシート部５５を、当該シート状時刻記録体５１から剥がす。上記切り離しシート部５５は、上記端辺以外の三辺がいずれも弱化線５６により区画されているため、上記端辺５４に少しの力をかけるだけで、上記切り離しシート部５５の全部を容易に切り取ることができる。この場合、剥がされた２個の切り離しシート部５５は、当該シート状時刻記録体５１から完全に切り離された状態にある。
【００７９】
当該シート状時刻記録体５１より剥がされた２個の切り離しシート部５５の場所を確認し、剥がされた各切り離しシート部５５の前後の数字を読み取ることにより、記録した時刻を読み取ることができる。
【００８０】
当該シート状時刻記録体５１は、一方の側縁に帯状ののりしろ部６０を備えている。のりしろ部６０の構成及び効果は、上記のりしろ部１０と同様である。
【００８１】
（実施形態６）
図４のシート状時刻記録体６１は略矩形状に形成されたシート状の形状を有し、帯状シート領域６２とそれ以外の他のシート領域６３から形成されている。
【００８２】
当該シート状時刻記録体６１の材質、サイズ及び厚みは、上記シート状時刻記録体１と同様である。
【００８３】
上記帯状シート領域６２は略矩形状に形成された帯状領域であり、月情報用帯状シート領域６２Ａ、十桁情報用帯状シート領域６２Ｂ、一桁情報用帯状シート領域６２Ｃからなる。
【００８４】
上記帯状シート領域６２は、当該シート状時刻記録体６１の横側端辺とそれぞれ並行となるよう、三列に配置されている。上記帯状シート領域６２は、当該シート状時刻記録体６１の端縁とは離間して設けられている。
【００８５】
当該シート状時刻記録体６１において、各帯状シート領域６２の一の横側側辺が切り欠かれている。この切り欠き部６４は、当該シート状時刻記録体６１に設けられた略矩形状の孔であり、上記帯状シート領域６２と水平方向の同じ方向にそれぞれ隣接するよう、３列に配置されている。上記切り欠き部６４は、縦方向の長さが上記帯状シート領域６２と等しい。上記切り欠き部６４は、当該シート状時刻記録体６１の端縁とは離間して設けられている。
【００８６】
上記帯状シート領域６２は、一辺が上記切り欠き部６４と接する。すなわち上記帯状シート領域の当該辺は、上記他のシート領域６３と接していない端辺６５である。
【００８７】
上記月情報用帯状シート領域６２Ａは、互いに隣接する１２個の切り離しシート部６６から形成された一列の帯状領域である。十桁情報用帯状シート領域６２Ｂは、互いに隣接する４個の切り離しシート部６６から形成された一列の帯状領域である。一桁情報用帯状シート領域６２Ｃは、互いに隣接する１０個の切り離しシート部６６から形成された一列の帯状領域である。
【００８８】
上記切り離しシート部６６は略矩形状を有している。上記切り離しシート部６６は、上記端辺６５以外の三辺がいずれも弱化線６７によって区画されている。
【００８９】
上記弱化線６７の構成及び効果は、上記弱化線６と同様である。
【００９０】
上記他のシート領域６３は、当該シート状時刻記録体６１のうち上記帯状シート領域６２以外の部分である。上記他のシート領域６３は、時刻表示領域６８を有する。上記他のシート領域６３に表示される情報等は特に限定されず、商品名、製造者名等の時刻情報以外の情報が記録されていてもよい。また、上記他のシート領域６３は、模様や色彩等のデザインが付されていてもよい。
【００９１】
上記時刻表示領域６８は帯状に形成された三列の帯状領域であり、月情報表示領域６８Ａ、十桁情報表示領域６８Ｂ及び一桁情報表示領域６８Ｃからなる。
【００９２】
上記月情報表示領域６８Ａは、互いに隣接する１２個の時刻表示シート部６９から形成された一列の帯状領域である。上記十桁情報表示領域６８Ｂは、互いに隣接する４個の時刻表示シート部６９から形成された一列の帯状領域である。上記一桁情報表示領域６８Ｃは、互いに隣接する１０個の時刻表示シート部６９から形成された一列の帯状領域である。
【００９３】
上記時刻表示領域６８は縦方向の長さが上記帯状シート領域６２と同じである。上記時刻表示領域６８は、上記端辺６５と並行に位置する。上記時刻表示領域６８は、上記帯状シート領域６２の端辺６５と平行な辺と接する。
【００９４】
上記時刻表示シート部６９は略矩形状を有している。上記時刻表示シート部６９には、時刻表示記号７０がそれぞれ表示されている。
【００９５】
上記時刻表示記号７０は、１から１２までの１２個の数字記号７０Ａ、０から３までの４個の数字記号７０Ｂ、及び１から０までの１０個の数字記号７０Ｃからなる。上記時刻表示記号７０は、数字が同じ向き及び方向に並ぶよう、上述の順番で上記時刻表示シート部６９に表示されている。ここで、数字記号７０Ａは月情報を表し、数字記号７０Ｂは日情報の十桁部分を表し、数字記号７０Ｃは日情報の一桁部分を表す。数字記号７０Ａ、数字記号７０Ｂ及び数字記号７０Ｃからそれぞれ１つの数字を選ぶことで、１月１日から１２月３１日までの任意の月日を一日単位で表すことができる。
【００９６】
上記月情報表示領域６８Ａを構成する時刻表示シート部６９には、数字記号７０Ａがそれぞれ表示されている。上記十桁情報表示領域６８Ｂを構成する時刻表示シート部６９には、数字記号７０Ｂがそれぞれ表示されている。上記一桁情報表示領域６８Ｃを構成する時刻表示シート部６９には、数字記号７０Ｃがそれぞれ表示されている。
【００９７】
各切り離しシート部６６及び各時刻表示シート部６９は、縦方向の長さ及び個数が同一である。各時刻表示記号７０が表示された各時刻表示シート部６９に対し、各切り離しシート部６６が一対一に対応する。すなわち、一つの時刻表示記号７０は一つの時刻表示シート部６９に表示される。また、一つの時刻表示記号７０に対し、一つの切り離しシート部６６が対応する。
【００９８】
当該シート状時刻記録体６１に月日を記録する場合、記録したい月日に対応する３個の切り離しシート部６６を、当該シート状時刻記録体６１から剥がす。上記切り離しシート部６６は、一辺が切り欠き部６４に接した端辺６５であり、他の三辺が弱化線６７によって区画されている。上記切り離しシート部６６の上記端辺６５に少しの力をかけるだけで上記切り離しシート部６６の全部を容易に剥がすことができる。
【００９９】
当該シート状時刻記録体６１について、切り離された３個の切り離しシート部６６の位置を確認し、次に各切り離しシート部６６に対応する３個の時刻表示記号７０を確認することにより、記録した月日を読み取ることができる。
【０１００】
当該シート状時刻記録体６１は、一方の側縁に帯状ののりしろ部７１を備えている。のりしろ部７１の構成及び効果は、上記のりしろ部１０と同様である。
【０１０１】
本考案のシート状時刻記録体は上述した筒状形状として用いられるものに限定されるものでなく、平面に貼り付ける形態や凹凸のある球面に貼り付ける形態等として用いることも出来る。また、本考案のシート状時刻記録体は、食品容器等に限らず、包装容器、製品の表面印刷等に用いることができる。
【０１０２】
本考案のシート状時刻記録体は、例えば、公知の他のラベル、食品包装等と組み合わせて用いることが出来る。また、本考案のシート状時刻記録体は、食品包装容器の本体に巻き付ける形態に限定されず、食品包装容器を入れるパッケージに貼り付ける形態や、食品包装容器を収納した冷蔵庫等に貼り付ける形態等でも用いることができる。
【０１０３】
本考案のシート状時刻記録体の用途は食品の時刻情報の記録に限定されず、例えば書類の起草日、応答日及び契約締結日等の時刻情報の記録等にも用いることができる。
【産業上の利用可能性】
【０１０４】
以上のように、本考案のシート状時刻記録体及び上記シート状時刻記録体を備える食品包装容器は、ペン等を使用せず時刻情報を簡易に記録するために好適に用いられる。
【符号の説明】
【０１０５】
１  シート状時刻記録体
２  帯状シート領域
３  他のシート領域
４  端辺
６  弱化線
７  時刻表示領域
１１  食品包装容器
１２  本体部
２１  食品包装容器
２２  本体部
２３  シート状時刻記録体
２４  帯状シート領域
２５  他のシート領域
２６  端辺
２８  弱化線
２９  時刻表示領域
４１  シート状時刻記録体
４２  帯状シート領域
４３  他のシート領域
４４  端辺
４７  弱化線
５１  シート状時刻記録体
５２  帯状シート領域
５３  他のシート領域
５４  端辺
５６  弱化線
５７  時刻表示領域
６１  シート状時刻記録体
６２  帯状シート領域
６３  他のシート領域
６４  切り欠き部
６５  端辺
６７  弱化線
６８  時刻表示領域
【図１】
0003161141.tif 000003
【図２】
0003161141.tif 000004
【図３】
0003161141.tif 000005
【図４】
0003161141.tif 000006
【図５】
0003161141.tif 000007
【図６】
0003161141.tif 000008